(57)【要約】      （修正有）【課題】保護カバーを確実に締結して固定でき、締結時にフランジ部近傍が折曲変形して隙間が生じることがなく、さらに、波や漂流物の衝撃による悪影響を受け難い防食施工方法の提供。【解決手段】海洋構造物の鋼管杭１の飛沫帯等に防錆層３、プラスチック層５および保護層７を含む防食層を形成して防食する防食施工方法であって、保護層は薄板７２からなり、薄板７２はその両端の接合部７１０，７２０とそれ以外の本体部７１１とからなり、接合部７１０，７２０は本体部７１１と繋がっており、接合部７１０，７２０は薄板７２を保護層としてプラスチック層５の外周側に配置した場合に鋼管杭１の断面の半径方向と平行になる平面部と斜面部とを備え、２つの接合部７１０，７２０の各々における平面部同士を向き合わせ、それらをネジで貫いて締めて保護層を固定する。【選択図】図１
2020143516.tif 000002
【特許請求の範囲】
【請求項１】
海洋構造物の鋼管杭の飛沫帯・干満帯の外周面に、防錆層、プラスチック層および保護層を含む防食層を形成して防食する防食施工方法であって、
前記鋼管杭の外周面に防錆層を密着させて形成する防錆層形成工程と、
前記防錆層の外周側にプラスチック層を形成するプラスチック層形成工程と、
前記プラスチック層の外周側に、保護層を形成する保護層形成工程と、
を備え、
前記保護層は耐食性金属製またはプラスチック製の薄板からなり、
前記薄板はその両端の接合部とそれ以外の本体部とからなり、前記接合部は前記本体部と繋がっていて、これらは一体に構成されており、
前記接合部は、前記薄板を前記保護層として前記プラスチック層の外周側に配置した場合に前記鋼管杭の長手方向と垂直方向での断面の半径方向と平行になる平面部と、前記断面において前記平面部における前記鋼管杭から最も離れた位置に配置される端部から前記本体部の外面に伸びる斜面部とを備え、前記本体部と前記斜面部との接点は繋がっていて、前記断面における前記接合部の内部には空間が存在しており、
前記保護層形成工程では、２つの前記接合部の各々における前記平面部同士を向き合わせ、それらをネジで貫いて締めて前記保護層を固定する、防食施工方法。
【請求項２】
前記保護層形成工程において、前記平面部同士を向き合わせ、それらの間に弾性体を挟み、それらをネジで貫いて締めて前記保護層を固定する、請求項１に記載の防食施工方法。
【請求項３】
前記薄板が耐食性金属製であり、その両端が外向きに折り返され、その最先端部が前記薄板の外面に固定されてなる前記接合部を有する、請求項１または２に記載の防食施工方法。
【請求項４】
予め前記接合部が形成された２つの前記薄板を用いて保護層を形成する、請求項１〜３のいずれかに記載の防食施工方法。
【請求項５】
前記薄板の厚さ０．３〜３ｍｍである、請求項１〜４のいずれかに記載の記載の防食施工方法。
【請求項６】
請求項１〜５のいずれかに記載の防食施工方法において保護層として用いられる薄板。
【発明の詳細な説明】
【技術分野】
【０００１】
本発明は防食施工方法およびその方法において用いられる薄板に関する。
【背景技術】
【０００２】
海洋構造物の鋼管杭の飛沫帯や干満帯は腐食の進行が早いため、表面に防食層を形成し、さらに耐食性金属等からなる保護層等を形成する防食施工方法が適用される場合がある。また、そのような防食施工方法における保護層（保護カバー）の固定方法として、フランジタイプおよびフランジレスタイプが挙げられる。
【０００３】
前者のフランジタイプは締結しやすいため保護層を固定しやすいものの、波や漂流物がフランジ部へ衝突してフランジ部が破損する場合があった。また、フランジ部においてボルトとナットによって保護層を締め付け固定すると、フランジ部がハの字形に開いてしまい、それに伴って保護層（保護カバー）におけるフランジ部の近傍が変形し、保護層の内側に隙間が生じ、その隙間から海水等が侵入したり、フランジ部の基部が防食材（防錆層）を傷つけたりし、防食機能が低下する場合があった。
これに関連して特許文献１には、縦に二つ割りのカバー本体の外向きフランジ部どおしをボルト止めすることによって鋼管等の金属管外面に施工した防食材を保護する保護カバーにおいて、上記カバー本体の肉厚を上記フランジ部に近付くにつれて次第に厚肉に形成したことを特徴とする鋼管等の防食被覆材保護カバーが記載されている。そして、このような保護カバーは、カバー本体の肉厚をフランジ部に近付く程次第に厚肉としたことにより、カバー本体の腹部に近付くにつれて柔軟性が増すので、フランジ部を互いに強くボルト締めしても、従来のようにフランジ部近傍が折曲変形して隙間が生じるようなことがないから、鋼管に対する密着が極めて良好であると記載されている。
このような特許文献１に記載の方法によれば、フランジ部近傍が折曲変形して隙間が生じることを回避できる可能性はある。しかし、波や漂流物がフランジ部へ衝突することによるフランジ部の破損が生じる可能性はある。
【０００４】
一方、後者のフランジレスタイプでは、波や漂流物が衝突することによる悪影響は回避できるものの、高波力に対し保護層を確実に固定することが困難である。フランジレスタイプの従来法として、特許文献２に記載の方法が挙げられる。
【先行技術文献】
【特許文献】
【０００５】
【特許文献１】実開昭６２−１９０７４６号公報
【特許文献２】特開２０１３−８７５３９号公報
【発明の概要】
【発明が解決しようとする課題】
【０００６】
上記のように、従来、保護層（保護カバー）を確実に締結して固定でき、締結時にフランジ部近傍が折曲変形して隙間が生じることがなく、さらに、波や漂流物が衝突することによる悪影響を受け難い防食施工方法は提供されていなかった。
【課題を解決するための手段】
【０００７】
本発明者は鋭意検討し、上記課題を解決する方法を見出し、本発明を完成させた。
本発明は次の（１）〜（６）である。
（１）海洋構造物の鋼管杭の飛沫帯・干満帯の外周面に、防錆層、プラスチック層および保護層を含む防食層を形成して防食する防食施工方法であって、
前記鋼管杭の外周面に防錆層を密着させて形成する防錆層形成工程と、
前記防錆層の外周側にプラスチック層を形成するプラスチック層形成工程と、
前記プラスチック層の外周側に、保護層を形成する保護層形成工程と、
を備え、
前記保護層は耐食性金属製またはプラスチック製の薄板からなり、
前記薄板はその両端の接合部とそれ以外の本体部とからなり、前記接合部は前記本体部と繋がっていて、これらは一体に構成されており、
前記接合部は、前記薄板を前記保護層として前記プラスチック層の外周側に配置した場合に前記鋼管杭の長手方向と垂直方向での断面の半径方向と平行になる平面部と、前記断面において前記平面部における前記鋼管杭から最も離れた位置に配置される端部から前記本体部の外面に伸びる斜面部とを備え、前記本体部と前記斜面部との接点は繋がっていて、前記断面における前記接合部の内部には空間が存在しており、
前記保護層形成工程では、２つの前記接合部の各々における前記平面部同士を向き合わせ、それらをネジで貫いて締めて前記保護層を固定する、防食施工方法。
（２）前記保護層形成工程において、前記平面部同士を向き合わせ、それらの間に弾性体を挟み、それらをネジで貫いて締めて前記保護層を固定する、上記（１）に記載の防食施工方法。
（３）前記薄板が耐食性金属製であり、その両端が外向きに折り返され、その最先端部が前記薄板の外面に固定されてなる前記接合部を有する、上記（１）または（２）に記載の防食施工方法。
（４）予め前記接合部が形成された２つの前記薄板を用いて保護層を形成する、上記（１）〜（３）のいずれかに記載の防食施工方法。
（５）前記薄板の厚さ０．３〜３ｍｍである、上記（１）〜（４）のいずれかに記載の記載の防食施工方法。
（６）上記（１）〜（５）のいずれかに記載の防食施工方法において保護層として用いられる薄板。
【発明の効果】
【０００８】
本発明によれば、保護層（保護カバー）を確実に締結して固定でき、締結時にフランジ部近傍が折曲変形して隙間が生じることがなく、さらに、波や漂流物が衝突することによる悪影響を受け難い防食施工方法およびその方法において用いる薄板を提供することができる。
【図面の簡単な説明】
【０００９】
【図１】海洋構造物の鋼管杭の飛沫体・干満体の外周面に、本発明の防食施工方法を施した状態を示す概略図である。
【図２】図１におけるＡ−Ａ線断面図（概略図）である。
【図３】弾性体を有しない場合におけるＡ−Ａ線断面図（概略図）である。
【図４】図１〜３における薄板を示す断面図（概略図）である。
【発明を実施するための形態】
【００１０】
本発明について説明する。
本発明は、海洋構造物の鋼管杭の飛沫帯・干満帯の外周面に、防錆層、プラスチック層および保護層を含む防食層を形成して防食する防食施工方法であって、前記鋼管杭の外周面に防錆層を密着させて形成する防錆層形成工程と、前記防錆層の外周側にプラスチック層を形成するプラスチック層形成工程と、前記プラスチック層の外周側に、保護層を形成する保護層形成工程と、を備え、前記保護層は耐食性金属製またはプラスチック製の薄板からなり、前記薄板はその両端の接合部とそれ以外の本体部とからなり、前記接合部は前記本体部と繋がっていて、これらは一体に構成されており、前記接合部は、前記薄板を前記保護層として前記プラスチック層の外周側に配置した場合に前記鋼管杭の長手方向と垂直方向での断面の半径方向と平行になる平面部と、前記断面において前記平面部における前記鋼管杭から最も離れた位置に配置される端部から前記本体部の外面に伸びる斜面部とを備え、前記本体部と前記斜面部との接点は繋がっていて、前記断面における前記接合部の内部には空間が存在しており、前記保護層形成工程では、２つの前記接合部の各々における前記平面部同士を向き合わせ、それらをネジで貫いて締めて前記保護層を固定する、防食施工方法である。
【００１１】
本発明の防食施工方法を施した後の鋼管杭（防食被覆体）について、具体例（図１〜図４）を挙げて説明する。
図１は海洋構造物の鋼管杭１の飛沫帯・干満帯に、本発明の防食施工方法を施した状態を示す概略図である。また、図２は、図１における鋼管杭の長手方向と垂直方向での断面であるＡ−Ａ線断面図である。さらに、図３は図１における弾性体がない場合のＡ−Ａ線断面図であり、図４は、図１の態様において用いた薄板の概略断面図である。図４は図２、３における薄板の部分だけを取り出した図と考えることもできる。なお、これら図１〜４を含め、本発明を説明するために用いる各図における各部分の大きさ等は、実際とは異なる場合がある。
【００１２】
本発明において海洋構造物は特に限定されないが、例えば桟橋が挙げられ、基礎杭として鋼管杭が挙げられる。
鋼管杭の大きさ等も特に限定されないが、例えば断面直径が２００〜１００００ｍｍであってよく、３００〜２０００ｍｍであってよく、４００〜１８００ｍｍであってもよい。
【００１３】
図１〜３に示すように、鋼管杭１の外周面に密着するように防錆層３が形成されている。また、これらの図に示す具体例の場合は、防錆層３の外周面に密着するようにプラスチック層５が形成されており、その外周面に密着するように保護層７が形成されている。
そして、防錆層３、プラスチック層５および保護層７が防食層１０を構成している。
【００１４】
また、図１〜３に示す態様の場合、保護層７は２つの薄板７１および薄板７２からなっている。ここで薄板７１と薄板７２とは同じ構成である。
【００１５】
薄板７１は、その両端の接合部７１０とそれ以外の本体部７１１とからなり、接合部７１０は本体部７１１と繋がっていて、これらは一体に構成されている。
また、接合部７１０は、平面部７１０αおよび斜面部７１０βを含む。
ここで平面部７１０αは、図１〜３に示すように薄板７１を保護層７としてプラスチック層５の外周側に配置した場合に、鋼管杭１の図２または図３に示す断面における半径方向（図２に示す点線ＣＬ）と平行になる面を含む部分である。なお、この面と図２に示す点線ＣＬとは、厳密な平行でなくても略平行（例えば図２に示す点線ＣＬとなす角度が１０度以下程度）であればよい。
また、斜面部７１０βは、薄板７１を保護層７としてプラスチック層５の外周側に配置した場合に、図２または図３において、平面部７１０αにおける鋼管杭１から最も離れた位置に配置される端部ωから、本体部７１１の外面７１１ｓに伸びる斜面部７１０βとを備える。そして、本体部７１１の外面７１１ｓと斜面部７１０βとは接点φで繋がっている。そのため、図２または図３に示すように、接合部７１０の断面内には空間ρが存在している。
【００１６】
薄板７２についても薄板７１と同様である。
すなわち、薄板７２は、その両端の接合部７２０とそれ以外の本体部７２１とからなり、接合部７２０は本体部７２１と繋がっていて、これらは一体に構成されている。
また、接合部７２０は、平面部７２０αおよび斜面部７２１０βを含む。
ここで平面部７２０αは、図１〜３に示すように薄板７２を保護層７としてプラスチック層５の外周側に配置した場合に、鋼管杭１の図２または図３に示す断面における半径方向（図２に示す点線ＣＬ）と平行になる面を含む部分である。なお、この面と図２に示す点線ＣＬとは、厳密な平行でなくても略平行（例えば図２に示す点線ＣＬとなす角度が１０度以下程度）であればよい。
また、斜面部７２０βは、薄板７２を保護層７としてプラスチック層５の外周側に配置した場合に、図２または図３において、平面部７２０αにおける鋼管杭１から最も離れた位置に配置される端部ωから、本体部７２１の外面７２１ｓに伸びる斜面部７２０βとを備える。そして、本体部７２１の外面７２１ｓと斜面部７２０βとは接点φで繋がっている。そのため、図２または図３に示すように、接合部７１０の断面内には空間ρが存在している。
【００１７】
接合部７１０、７２０が空間ρを備えると、ここに波や漂流物が接合部に衝突しても、接合部（特にボルト等）が破損し難いことを本願発明者は見出した。空間ρが存在していないと、接合部へ波や漂流物が衝突したときに、その衝突のエネルギーがボルト等に集中してしまい、その結果、ボルト等が破損してしまうと推定される。
【００１８】
なお、本体部（７１１、７２１）と斜面部（７１０β、７２０β）とを接点φで繋げる方法は特に限定されない。薄板７が金属である場合は溶接することで繋げることができる。また、薄板がＦＲＰ等のプラスチックである場合は、接点φにおける一方または両方のプラスチックの一部を溶かし、本体部（７１１、７２１）と斜面部（７１０β、７２０β）とを接触させた後に固化させたり、予め溶かした同種のプラスチック材料を接点φに付し、本体部（７１１、７２１）と斜面部（７１０β、７２０β）とを接触させた後、固化させたりすることで、本体部（７１１、７２１）と斜面部（７１０β、７２０β）とを接点φで繋げることができる。
【００１９】
図２または図３に示される断面図における平面部（７１０α、７２０α）の高さ、すなわち、図１〜３に示すように薄板７２を保護層７としてプラスチック層５の外周側に配置した場合に、図２または図３に示す断面において平面部７２０αにおける鋼管杭１に最も近い位置から最も離れた位置（端部ω）までの距離（図２、図３中のＬ１）は３０〜６０ｍｍであることが好ましく、４０〜５０ｍｍであることがより好ましい。
また、平面部（７１０α、７２０α）における鋼管杭１に最も近い位置から傾斜部の先端までの直線距離（図２、図３中のＬ２）は５０〜３００ｍｍであることが好ましく、１００ｍｍ程度であることがより好ましい。
【００２０】
また、薄板７１、７２が耐食性金属製であって、その両端が外向き（図１〜図３に示すように薄板７１、７２を保護層７としてプラスチック層５の外周側に配置した場合の外向き）に折り返され、その斜面部７１０β、７２０βの先端が本体部７１１、７２１の外面７１１ｓ、７２１ｓと接点φで繋がり固定され、接合部７１０、７２０が構成されていることが好ましい。
【００２１】
そして、図２に示すように、２つの接合部（７１０、７２０）の各々が有する平面部（７１０α、７２０α）における平面同士を向き合わせ、それらはネジ９で貫かれ、ナットを用いて締められて固定されている。ここで平面同士間に５〜４０ｍｍ（好ましくは２０ｍｍ程度）の空隙が存することが好ましい。鋼管杭径の公差の吸収するためである。
【００２２】
ここで、図３に示すように、２つの接合部（７１０、７２０）の各々が有する平面部（７１０α、７２０α）における平面同士を向き合わせ、それらの間に弾性体８が挟まれていることが好ましい。弾性体８が存する場合、平面部７１０α、弾性体８および平面部７２０αがネジ９で貫かれ、ナットを用いて締められて固定される。
【００２３】
また、接合部（７１０、７２０）の鋼管杭１側に（より具体的には、平面部（７１０α、７２０α）における鋼管杭１に最も近い位置の鋼管杭１側）、接合部（７１０、７２０）に接するように当て板６が配置されることが好ましい。図３に示す弾性体８が存しない場合、このような位置に当て板６が配置されることが好ましい。
当て板６は、保護層の平面部の間付近から鋼管杭本体へ直接海水の浸入を防止する、という役割を果たす。
【００２４】
当て板６の材質は特に限定されず、例えば薄板と同じ材質であってよい。
当て板６の厚さも特に限定されず、例えば薄板と同じ厚さであってよい。
当て板６の大きさも特に限定されず、例えば図３における幅方向（Ｌ２と平行方向）の長さが５０〜３００ｍｍであることが好ましく、１００ｍｍ程度であることがより好ましい。
【００２５】
図１に示すように防食層１０の下であって鋼管杭１の干満帯よりも下方には、受け台５０が設けられている。受け台５０は上部にプラスチック製のプレート５２を有し、下部に鋼鉄製のスリーブ５１を有しており、防食層１０は受け台５０の上に設置されている。この場合、保護層７（薄板７１、７２）と鋼管杭１との間は電気的に繋がっていない。
【００２６】
本発明の防錆層形成工程について説明する。
本発明の防錆層形成工程では、前記鋼管杭の外周面に密着するように防錆層を形成する。
防錆層は特に限定されず、例えば従来公知のものを用いることができるが、例えば市販の防錆剤（ペトロラタム、酸化重合樹脂、エポキシ樹脂など）を含浸した帯状の布を用いることができ、これを前記鋼管杭の外周面に巻き付けることで防錆層を形成することができる。
施工に際しては、例えば鋼管杭の表面付着物を除去し、サンドブラスト等で素地調整し、ペトロラタムのペーストを塗布し、その上からペトロラタムを含浸したテープを固く巻きつけて防錆層を形成することが好ましい。
【００２７】
防錆層の厚さは特に限定されないが、２〜５ｍｍであることが好ましく、２．５〜３．５ｍｍであることがより好ましい。
【００２８】
本発明のプラスチック層形成工程について説明する。
本発明のプラスチック層形成工程では、前記防錆層の外周側にプラスチック層を形成する。前記防錆層の外周面上に他の層（例えば遮水シート）を１層以上形成し、その外周面上にプラスチック層を形成してもよいが、前記防錆層の外周面に密着するようにプラスチック層を形成してもよい。
プラスチック層は、発泡プラスチック層であることが好ましい。例えば三次元の方向に連通した多数の孔を有する市販の発泡ポリエチレンからなる発泡プラスチックを用いることができる。
プラスチックからなる帯状のシートを前記防錆層の外周側に巻き付けることによって、プラスチック層を形成することができる。
【００２９】
プラスチック層の厚さは特に限定されないが、３〜１５ｍｍであることが好ましく、５〜８ｍｍであることがより好ましい。
【００３０】
なお、施工に際しては、発泡ポリエチレン等のプラスチックのシートを一方の面に貼りつけた薄板を予め作成し、プラスチックのシートを内側にしてこれを防錆層の外周側に巻きつけると、プラスチック層と保護層とを同時に簡易に形成することができるので好ましい。
【００３１】
本発明の保護層形成工程について説明する。
本発明の保護層形成工程では、前記プラスチック層の外周側に保護層を形成する。
前記プラスチック層の外周面上に他の層を１層以上形成し、その外周面上に保護層を形成してもよいが、前記プラスチック層の外周面に密着するように保護層を形成することが好ましい。
【００３２】
保護層は、耐食性金属製またはプラスチック製の薄板からなる。
【００３３】
ここで、薄板を構成する耐食性金属は海水中で極めて耐食性が優れているために、長期間使用しても腐食による損傷がない。
耐食性金属は特に限定されない。例えば耐食性金属として、チタン、チタン合金、ステンレスが挙げられ、チタンまたはチタン合金であることが好ましい。
耐食性金属製の薄板としては板厚が０．３〜３．０ｍｍ、好ましくは０．６〜１．０ｍｍのものが軽量であり、この場合、施工時の取扱いが容易であるので好ましい。また、この程度にまで薄い厚さとしても、接合部の強度が高いため、波や漂流物にからの衝撃があっても破損し難い。
【００３４】
また、薄板を構成するプラスチックは、海水中での耐食性に優れるものであればよい。このようなプラスチックとして、ＦＲＰ、ＡＰＣなどが挙げられる。
プラスチック製の薄板としては、板厚が２〜５ｍｍ、好ましくは２〜３ｍｍのものが軽量であり、この場合、施工時の取扱いが容易であるので好ましい。
【００３５】
本発明では、図４に示すような、予め接合部が形成された２つの薄板を用意し、これを用いて保護層を形成することが好ましい。図４に示すように、薄板は、これを保護層として固定する鋼管杭の形状にフィットするように半円状（円弧状）に構成されていることが好ましい。
【００３６】
このような２つの薄板を用いて保護層を形成する方法の具体例について、以下に説明する。
【００３７】
前述のプラスチック層形成工程において形成したプラスチック層５の外周側に、図４に示す薄板７１、７２を配置する。
そして、２つの接合部（接合部７１０および接合部７２０）の各々が有する平面部（平面部７１０αおよび平面部７２０α）同士を向き合わせる。平面部同士の間の幅は２０ｍｍ程度であることが好ましい。ここで、それらの間に弾性体８を挟むことが好ましい。また、弾性体８を用いない場合、接合部（接合部７１０および接合部７２０）の鋼管杭１側に、図３に示したような当て板を配置することが好ましい。弾性体８を用いた場合に当て板を配置してもよい。
【００３８】
弾性体８はシリコンゴムであることが好ましい。その他、ＥＰＤＭ等を用いることもできる。
弾性体８の大きさは、例えば厚み（図２における幅方向（Ｌ２と平行方向）の長さ）が２０ｍｍであってよい。
【００３９】
そして、平面部７１０αと平面部７２０αとをネジ９で貫き、ナットを用いて締めて固定する。弾性体を用いる場合は、平面部７１０αと平面部７２０αとで弾性体８を挟んだ状態で、平面部７１０α、弾性体８および平面部７２０αをネジ９で貫き、ナットを用いて締めて固定する。
ここで、ネジ９とナットを、傾斜部（７１０β、７２０β）に形成された孔γから接合部の内部の空間ρへ入れ、工具等を用いてこれらを締めて固定する。
孔γの形状や大きさは、ネジ９とナットを空間ρへ入れることができ、さらにネジ９とナットを締めるための工具等も空間ρへ入れたうえで作業が可能な程度のものであれば特に限定されない。
【００４０】
ネジとナットは、前述の薄板と同様の材料からなることが好ましい。すなわち、耐食性金属またはプラスチックからなることが好ましい。
【００４１】
孔γは、一定間隔で傾斜部（７１０β、７２０β）に形成されていることが好ましい。具体的には１００〜２００ｍｍごとに形成されていることが好ましい。
【符号の説明】
【００４２】
１  鋼管杭
３  防錆層
５  プラスチック層
７  保護層
７１  薄板
７１０  接合部
７１０α  平面部
７１０β  斜面部
７１１  本体部
７１１ｓ  外面
７２  薄板
７２０  接合部
７２０α  平面部
７２０β  斜面部
７２１  本体部
７２１ｓ  外面
５０  受台
５１  スリーブ
５２  プレート
６  当て板
ω  端部
φ  接点
ρ  空間
８  弾性体
９  ネジ
【図１】
2020143516.tif 000003
【図２】
2020143516.tif 000004
【図３】
2020143516.tif 000005
【図４】
2020143516.tif 000006